(57)【要約】【課題】測定した体重の変化を容易に把握できるようにすることを目的とする。【解決手段】体重を測定する被測定者が携帯する個人専用のＲＦＩＤカードの識別情報を、ＲＦＩＤリーダライタ５で読取ると共に、ＲＦＩＤカードに測定した体重値及び測定の日付を書込むようにし、体重測定の度にＲＦＩＤカードに書込まれて蓄積された体重値及び日付のデータを、ＲＦＩＤリーダライタを介してパソコンに取り込み、体重の変化をパソコンで表示できるようにしている。【選択図】図１
2011191234.tif 000002
【特許請求の範囲】
【請求項１】
載台に載る被測定者の体重を測定して表示する体重計であって、
体重を測定する前記被測定者が携帯する個人専用のＲＦＩＤタグの識別情報を読取ると共に、前記ＲＦＩＤタグに情報を書込む読取書込部と、
測定した体重値を、前記読取書込部を制御して前記ＲＦＩＤタグに書込む制御部とを具備し、
前記ＲＦＩＤタグは、コンピュータによって制御される読取書込装置を介して、前記ＲＦＩＤタグに書込まれている前記体重値を含む情報が、前記コンピュータによって消去可能であると共に、該コンピュータに格納可能である、
ことを特徴とする体重計。
【請求項２】
時刻を計時する計時部を具備し、
前記制御部は、前記測定した体重値と共に、前記計時部から取得する体重を測定した日付を、前記読取書込部を制御して前記ＲＦＩＤタグに書込む、
請求項１に記載の体重計。
【請求項３】
測定した体重値を表示する表示部を具備し、
前記制御部は、前記ＲＦＩＤタグに書込まれている体重値を前記読取書込部によって読取って前記表示部に表示する、
請求項１または２に記載の体重計。
【請求項４】
当該体重計が、各種の施設に設置されるものであり、
前記ＲＦＩＤタグが、前記施設のロッカーキーとして使用できる、
請求項１ないし３のいずれかに記載の体重計。
【請求項５】
前記請求項１ないし３のいずれかに記載の体重計と、
体重を測定する被測定者が携帯する個人専用のものであって、前記体重計によって識別情報が読取られると共に、測定された体重値が書込まれるＲＦＩＤタグとを具備し、
前記ＲＦＩＤタグは、コンピュータによって制御される読取書込装置を介して、前記ＲＦＩＤタグに書込まれている前記体重値を含む情報が、前記コンピュータによって消去可能であると共に、該コンピュータに格納可能である、
ことを特徴とする体重計システム。
【発明の詳細な説明】
【技術分野】
【０００１】
本発明は、体重計およびそれを用いた体重計システムに関し、更に詳しくは、電波を用いた認識技術であるＲＦＩＤ（Radio Frequency Identification）を利用した体重計および体重計システムに関する。
【背景技術】
【０００２】
近年、健康志向から体重管理に対する関心が高まり、家庭内で自分の体重を測定する機会も多くなり、また、家庭外でも温浴施設やスポーツ施設などの各種の施設を利用した際に、施設に設置されている体重計を使用して体重を測定する機会も多い。かかる体重計としてデジタル式の体重計（例えば、特許文献１参照）が主流となりつつある。
【先行技術文献】
【特許文献】
【０００３】
【特許文献１】特開２００６−１６２５８９号公報
【発明の概要】
【発明が解決しようとする課題】
【０００４】
上記のように家庭内や家庭外の各種施設で測定した比較的長期に亘る体重の変化を知るためには、測定した体重値を記録しておく必要があり、面倒であると共に、その変化の傾向も容易に把握することができない。
【０００５】
本発明は、このような実情に着目してなされたものであって、各所で測定した比較的長期に亘る体重の変化を容易に把握して体重管理に利用できるようにすることを目的とする。
【課題を解決するための手段】
【０００６】
前記目的を達成するために、本発明では、次のように構成している。
【０００７】
（１）本発明の体重計は、載台に載る被測定者の体重を測定して表示する体重計であって、体重を測定する前記被測定者が携帯する個人専用のＲＦＩＤタグの識別情報を読取ると共に、前記ＲＦＩＤタグに情報を書込む読取書込部と、測定した体重値を、前記読取書込部を制御して前記ＲＦＩＤタグに書込む制御部とを具備し、前記ＲＦＩＤタグは、コンピュータによって制御される読取書込装置を介して、前記ＲＦＩＤタグに書込まれている前記体重値を含む情報が、前記コンピュータによって消去可能であると共に、該コンピュータに格納可能である。
【０００８】
ＲＦＩＤタグとは、物体の識別に利用される無線ＩＣチップをいい、その形状は、カード状が好ましいが、スティック状、ラベル状など他の形状であってもよく、また、ＲＦＩＤタグは、ＩＣタグ、ＲＦタグ、無線タグ、電子タグなどの様々な名称で呼ばれるものである。
【０００９】
本発明の体重計によると、個人専用のＲＦＩＤタグを携帯する被測定者が、載台に載って体重を測定する際には、ＲＦＩＤタグの識別情報が読取られて、測定した体重値がＲＦＩＤタグに書込まれるので、体重を測定する度に、ＲＦＩＤタグに測定した体重値が書込まれて蓄積されることになる。また、ＲＦＩＤタグに書込まれた体重値を含む情報は、読取書込装置を介してコンピュータのハードディスクなどに格納して表示部に、例えば、グラフ等で表示することができるので、比較的長期に亘る体重の変化を容易に把握して体重管理に利用することができる。更に、ＲＦＩＤタグに書込まれた体重値を含む情報は、前記コンピュータによって消去できるので、新たな体重値を書込むためのＲＦＩＤタグの記憶領域を確保することができる。
【００１０】
（２）本発明の体重計の好ましい実施態様では、時刻を計時する計時部を具備し、前記制御部は、前記測定した体重値と共に、前記計時部から取得する体重を測定した日付を、前記読取書込部を制御して前記ＲＦＩＤタグに書込むものである。
【００１１】
この実施態様によると、ＲＦＩＤタグには、測定した体重値と共に、その測定の日付が書込まれるので、ＲＦＩＤタグに書込まれた体重値及び日付の情報を、読取書込装置を介してコンピュータに格納して表示することによって、比較的長期に亘る体重の変化を詳細に把握して体重管理に利用することができる。
【００１２】
（３）本発明の体重計の更に好ましい実施態様では、測定した体重値を表示する表示部を具備し、前記制御部は、前記ＲＦＩＤタグに書込まれている体重値を前記読取書込部によって読取って前記表示部に表示するものである。
【００１３】
この実施態様によると、ＲＦＩＤタグに書込まれている体重値を読出して体重計の表示部に表示することができる。
【００１４】
（４）本発明の体重計の別の実施態様では、当該体重計が、各種の施設に設置されるものであり、前記ＲＦＩＤタグが、前記施設のロッカーキーとして使用できるものである。
【００１５】
各種の施設としては、例えば、温泉や健康ランドのような温浴施設、フィットネスクラブなどのスポーツ施設、宿泊施設、レジャー施設などがある。
【００１６】
ロッカーキーとして使用できるとは、例えば、ＲＦＩＤタグを、ロッカーに設けられているＲＦＩＤリーダライタにかざしてロックあるいは解除のための操作をすることによって、ロッカーのロックあるいは解除ができることをいう。
【００１７】
この実施態様によると、各種の施設に設置されている当該体重計によって測定した体重値がＲＦＩＤタグに書込まれるので、各種の施設を利用した時の体重を把握できる一方、ＲＦＩＤタグを、施設のロッカーを利用する際のロッカーキーとして使用することもできる。
【００１８】
（５）本発明の体重計システムは、本発明にかかる体重計と、体重を測定する被測定者が携帯する個人専用のものであって、前記体重計によって識別情報が読取られると共に、測定された体重値が書込まれるＲＦＩＤタグとを具備し、前記ＲＦＩＤタグは、コンピュータによって制御される読取書込装置を介して、前記ＲＦＩＤタグに書込まれている前記体重値を含む情報が、前記コンピュータによって消去可能であると共に、該コンピュータに格納可能である。
【００１９】
本発明の体重計システムによると、個人専用のＲＦＩＤタグを携帯する被測定者が、載台に載って体重を測定する際には、ＲＦＩＤタグの識別情報が読取られて、測定した体重値がＲＦＩＤタグに書込まれるので、体重を測定する度に、ＲＦＩＤタグに測定した体重値が書込まれて蓄積されることになる。また、ＲＦＩＤタグに書込まれた体重値を含む情報は、読取書込装置を介してコンピュータのハードディスクなどに格納して表示部に表示することができるので、各所に設置されている当該体重計で測定した比較的長期に亘る体重の変化を容易に把握することができる。更に、ＲＦＩＤタグに書込まれた体重値を含む情報は、前記コンピュータによって消去できるので、新たな体重値を書込むためのＲＦＩＤタグの記憶領域を確保することができる。
【発明の効果】
【００２０】
このように、本発明によれば、個人専用のＲＦＩＤタグを携帯する被測定者が、体重を測定する際には、ＲＦＩＤタグの識別情報が読取られて、測定した体重値がＲＦＩＤタグに書込まれるので、体重を測定する度に、ＲＦＩＤタグには、測定した体重値が書込まれて蓄積されることになる。また、ＲＦＩＤタグに書込まれた体重値を含む情報は、読取書込装置を介してコンピュータのハードディスクなどに格納して表示部に表示することができるので、比較的長期に亘る体重の変化を容易に把握して体重管理に利用することができる。更に、ＲＦＩＤタグに書込まれた体重値を含む情報は、前記コンピュータによって消去できるので、新たな体重値を書込むためのＲＦＩＤタグの記憶領域を確保することができる。
【図面の簡単な説明】
【００２１】
【図１】図１は本発明の実施形態にかかる体重計の斜視図である。
【図２】図２はＲＦＩＤカードの斜視図である。
【図３】図３は本発明の実施形態の体重計システムの概略構成図である。
【図４】図４は体重計の構成を示すブロック図である。
【図５】図５はＲＦＩＤカードのメモリの記憶構成を示す図である。
【図６】図６は体重計の動作説明に供するフローチャートである。
【図７】図７は体重変化の表示例を示す図である。
【図８】図８は体重変化の他の表示例を示す図である。
【図９】図９はＲＦＩＤカードのデータのパソコンによる読取りを説明するための構成図である。
【発明を実施するための形態】
【００２２】
以下、本発明の実施形態を図面に基づいて詳細に説明する。
【００２３】
（実施形態１）
図１は、本発明の実施形態に係る体重計の斜視図である。
【００２４】
この実施形態の体重計１は、各家庭、あるいは、温泉や健康ランドのような温浴施設やフィットネスクラブといったスポーツ施設などに設置されている。
【００２５】
この体重計１は、体重を測定する被測定者が載る載台を有する体重計本体２と、体重計本体２に取り付けられた支柱３と、支柱３の上部に取り付けられた操作表示部４とを備えると共に、後述のＲＦＩＤカードからの情報を読み取ると共に、情報を書き込むＲＦＩＤリーダライタ５とを備えている。操作表示部４には、複数の操作キー６と７セグメント表示の表示部７とを備えている。
【００２６】
施設の利用者は、個人専用の、例えば、図２に示すようなカード状のＲＦＩＤタグであるＲＦＩＤカード８を携帯しており、このＲＦＩＤカード８は、アンテナ付のＩＣチップ１０が封入されて構成されている。このＲＦＩＤカード８は、例えば、当該施設や体重計１の製造メーカなどから購入することができる。このＲＦＩＤカード８には、精算情報を記録することができ、このＲＦＩＤカード８を使用して施設内の自動販売機等を利用したような場合に、その料金を施設の退館時にフロントで精算することができる。また、このＲＦＩＤカード８には、該カード８を利用できる各所の施設の一覧が印刷されている。
【００２７】
このＲＦＩＤカード８は、無線周波数（radio frequency：ＲＦ）の電波によって識別番号等の情報を送信及び受信できるものであり、ＲＦ信号を送信及び受信するアンテナを含む送受信部と、ＲＦ信号の送信及び受信を制御する制御部と、識別番号や体重値等を記憶する記憶部とを備えている。ＲＦＩＤは、電磁誘導方式や電波方式等、どのような方式であってもよい。
【００２８】
この実施形態の体重計１では、比較的長期に亘る体重の変化を容易に把握できるように、次のように構成している。
【００２９】
この体重計１は、例えば、施設の利用者が、体重計本体２の載台に載ることによりその体重を測定できると共に、利用者が、例えば、首に掛けて携帯しているＲＦＩＤカード８を、体重計１のＲＦＩＤリーダライタ５にかざすことによって、測定した体重値を、その測定日と共にＲＦＩＤカード８に書き込むことができる。
【００３０】
この体重計１は、図３に示すように、各家庭や各種の施設、例えば、Ａ施設、Ｂ施設、Ｃ施設等に設置されており、ＲＦＩＤカード８の利用者が、各所の体重計１で体重を測定して、ＲＦＩＤカード８を体重計１のＲＦＩＤリーダライタ５にかざすことによって、測定した体重値が測定日と共に、ＲＦＩＤカード８に書き込まれる。
【００３１】
図４は、この実施形態の体重計の構成を示すブロック図である。
【００３２】
この体重計１は、一定の読取書込可能領域内にＲＦＩＤカード８が存在するときに、そのＲＦＩＤカード８に記憶されている識別番号を非接触で読み取り、測定した体重値を書き込むＲＦＩＤリーダライタ５と、測定した体重値などを記憶するメモリ１８と、操作キー６と、重量を検出するロードセルなどからなる重量センサ１９と、重量センサ１９からのアナログ重量信号をデジタル重量信号に変換するＡ／Ｄ変換器２０と、デジタル重量信号に基づいて体重値を算出すると共に、各部を制御する制御部としてのＣＰＵ２１と、体重値などを表示する表示部７と、各部に電源を供給する電源２２と、測定日を計測するための計時部９とを備えている。
【００３３】
ＲＦＩＤリーダライタ５は、ＣＰＵ、メモリ部及び送受信部を備えている。このＲＦＩＤリーダライタ５は、ＲＦＩＤカード８が読取書込可能領域内に入ると、送信部から電波信号をＲＦＩＤカード８に送信する。ＲＦＩＤカード８では、受信した電波信号を整流、平滑化して駆動電力を発生し、記憶部から識別番号を読み出してＲＦＩＤリーダライタ５に電波信号として送信する。ＲＦＩＤリーダライタ５では、受信部で電波信号を受信し、復調して識別信号を読取る。
【００３４】
また、ＲＦＩＤリーダライタ５では、ＣＰＵ２１からの測定した体重値及び測定の日付を変調して電波信号に重畳してＲＦＩＤカード８に送信する。ＲＦＩＤカード８では、電波信号を受信復調して、体重値及び測定の日付を記憶部に記憶させる。これにより、ＲＦＩＤリーダライタ５によるＲＦＩＤカード８への体重値及び測定日の書き込みが行われる。
【００３５】
図５は、この実施形態のＲＦＩＤカード８のメモリの記憶構成を示す図であり、測定日である年・月・日の記憶に各１バイトの計３バイト及び体重値の記憶に２バイトの合計５バイトの記憶領域を割り付けている。したがって、ＲＦＩＤカード８の記憶容量が、例えば、３２バイトの場合には、６回分の体重値を記憶できることになり、また、記憶容量が、例えば、４キロバイトの場合には、８００回分の体重値を記憶できることになる。
【００３６】
図６は、この実施形態の体重計１の動作説明に供するフローチャートである。
【００３７】
利用者が、体重計本体２の載台に載って携帯しているＲＦＩＤカード８を、体重計１のＲＦＩＤリーダライタ５にかざすことによって、ＲＦＩＤリーダライタ５は、ＲＦＩＤカード８からのデータを読み込み（ステップＳ１）、記憶部に空きエリアが存在するか否かを判断し（ステップＳ２）、空きエリアが存在するときには、体重を測定する（ステップＳ３）。また、空きエリアが存在しないときには、ＲＦＩＤカード８の記憶部の一番古いデータを消去してステップＳ３に移る（ステップＳ４）。
【００３８】
ステップＳ３において、体重を測定すると、ＲＦＩＤリーダライタ５は、測定した体重値と測定日とをＲＦＩＤカード８の記憶部の最新のエリアに書き込み（ステップＳ４）、体重値を表示部７に表示し（ステップＳ５）、終了する。
【００３９】
この体重の測定では、重量センサ１９によって検出される重量値が、所定時間において所定変化範囲内になったとき、すなわち、安定したときの重量値を、体重値として決定する。
【００４０】
なお、表示部７が、例えば、フルグラフィック表示を行える液晶表示部であるような場合には、利用者のキー操作に基づいて、複数回の測定による体重値の変化を、図７に示すようにグラフで表示してもよいし、あるいは、図８に示すように一覧表として表示してもよい。また、体重計１にプリンタを接続し、体重値やその変化等を印刷できるようにしてもよい。
【００４１】
更に、図９に示すように、家庭のパソコン１１にＲＦＩＤリーダライタ１２を接続し、ＲＦＩＤカード８に記憶されている情報を読み出してパソコン１１のハードディスクに格納し、ＲＦＩＤカード８の情報を消去することにより、ＲＦＩＤＦカード８の記憶領域を増やすようにしてもよい。また、パソコン１１に取り込んだ情報に基づいて、パソコン１１の表示部に体重変化をグラフ等で表示してもよい。
【００４２】
このように個人専用のＲＦＩＤカードを携帯する被測定者が、体重を測定する度に、ＲＦＩＤカードに測定した体重値及び測定の日付が書込まれて蓄積されることになる。このＲＦＩＤカードに書込まれた体重値等は、ＲＦＩＤリーダライタ１２を介して家庭のパソコン１１に取込み、グラフ等で表示できるので、家庭や各所の施設で測定した比較的長期に亘る体重の変化を容易に把握することができ、体重管理に利用することができる。
【００４３】
また、施設の利用者が携帯する個人専用のＲＦＩＤカード８によって利用者自身で体重値を蓄積して体重を管理することができるので、施設側では、体重計１を設置するだけでよい。
【００４４】
（その他の実施形態）
本発明の他の実施形態として、ＲＦＩＤカード８を施設で利用するロッカーのロッカーキーとして使用できるようにしてもよい。この場合には、施設の入館時にフロントでロッカーの使用を許可するデータをＲＦＩＤカード８に書き込むことによって、例えば、ＲＦＩＤカード８を、ロッカーに設けられているＲＦＩＤリーダライタにかざしてロックあるいは解除のための操作をすることによって、ロッカーのロックあるいは解除ができるようにすればよい。
【００４５】
本発明の体重計には、体重以外に体脂肪率などの他の生体情報の測定機能を追加してもよい。
【産業上の利用可能性】
【００４６】
本発明は、体重計として有用である。
【符号の説明】
【００４７】
１              体重計
４              操作表示部
５              ＲＦＩＤリーダライタ
８              ＲＦＩＤカード
【図１】
2011191234.tif 000003
【図２】
2011191234.tif 000004
【図３】
2011191234.tif 000005
【図４】
2011191234.tif 000006
【図５】
2011191234.tif 000007
【図６】
2011191234.tif 000008
【図７】
2011191234.tif 000009
【図８】
2011191234.tif 000010
【図９】
2011191234.tif 000011